(57)【要約】  【課題】  広範囲の高度計測を可能にするとともに第２アンプの破損を防ぐ。  【解決手段】  第１、第２アンプ６１，６２間に高度信号Ａに基づいて第１アンプ６１の出力を小さくする減衰器６３を接続した。【選択図】  図１
2006266787.tif 000002
【特許請求の範囲】
【請求項１】
基準パルスを発生する基準パルス発生手段と、
前記基準パルスに同期して送信パルスを発生するパルス送信手段と、
前記送信パルスを電波に変換して地表面に送信する送信アンテナと、
前記地表面で反射した電波を受信する受信アンテナと、
前記受信アンテナの出力を増幅する第１の増幅手段と、
前記第１の増幅手段の出力を増幅する第２の増幅手段と、
所定周波数の信号を発振する局部発振手段の出力と前記第２の増幅手段の出力とを混合して中間周波信号に変換する混合手段と、
前記混合手段の出力を増幅する中間周波増幅手段と、
前記中間周波増幅手段の出力から所定の高度に対応する反射波信号を選択し、反射波パルスを出力する反射信号選択手段と、
前記反射信号選択手段の出力を中間周波増幅手段に帰還させ、その利得を制御するＡＧＣ制御手段と、
前記基準パルス発生手段からの前記基準パルスと前記反射信号選択手段からの前記反射波パルスとの時間差を検出し、その時間差に対応する高度信号を出力する時間検出手段と、
前記時間検出手段の出力に基づいて前記第１の増幅手段の出力を小さくする減衰手段と
を備えていることを特徴とする電波高度計。
【請求項２】
前記減衰手段が前記第１、第２の増幅手段間に接続されていることを特徴とする請求項１記載の電波高度計。
【発明の詳細な説明】
【技術分野】
【０００１】
この発明は電波高度計に関し、特に航空機等に搭載され、対地高度等の距離計測を行う電波高度計に関する。
【背景技術】
【０００２】
従来の技術として特開平５−２０９９５６号に記載された追尾受信機がある。
【０００３】
この追尾受信機は、低雑音アンプ、ミクサ、ゲート回路、可変減衰器、ＩＦアンプ、パワーデバイダＡ、帯域フィルタ、パワーデバイダＢ、Ｉ−Ｑ検波器、ビデオアンプ、振幅検波器Ｂ、ＡＧＣ回路、振幅検波器Ａ及びビデオ位置検出回路で構成される。
【０００４】
低雑音アンプはパルス波の受信信号を増幅する。ミクサは低雑音アンプの出力信号をＩＦ信号に変換する。ゲート回路はミクサの出力信号を受信時間だけ通過させる。可変減衰器はゲート回路の出力信号を所定レベルに減衰させる。ＩＦアンプは可変減衰器の出力信号を増幅する。パワーデバイダＡはＩＦアンプの出力信号を入力し、その入力信号を２分配する。帯域フィルタはパワーデバイダＡの出力信号を入力し、パルス波の受信信号をＣＷ化する。パワーデバイダＢは帯域フィルタの出力信号を入力し、この入力信号を２分配する。Ｉ−Ｑ検波器はパワーデバイダＢの出力信号を入力し、ビデオ信号に変換する。ビデオアンプはＩ−Ｑ検波器の出力信号を増幅し、信号処理部へ送出する。振幅検波器Ｂは前記パワーデバイダＢの出力信号を入力し、振幅検波する。ＡＧＣ回路は振幅検波器Ｂの出力電圧を入力し、前記可変減衰器の減衰量を制御する。振幅検波器Ａは前記パワーデバイダＡの出力信号を入力し、振幅検波する。ビデオ位置検出回路は、振幅検波器Ａのパルス信号出力を基準パルス発生器の出力信号と比較し、受信信号の位置が送信時間内に入り込んだことを検出し、前記ＡＧＣ回路の出力電圧を保持状態にするための制御信号を前記ＡＧＣ回路に送出する。
【０００５】
この追尾受信機では、受信信号が平均化（ＣＷ化）される前に振幅検波が行われ、受信信号の位置が送信時間内に入り込んだことが検出されたとき、ＡＧＣ回路の出力電圧が保持されるので、受信信号が飽和しない。
【特許文献１】特開平５−２０９９５６号公報
【発明の開示】
【発明が解決しようとする課題】
【０００６】
追尾対象までの距離が短いとき、受信信号が大きくなり、それが低雑音アンプで増幅される。そのためミクサ等に過大信号が入力され、ミクサ等が破損するおそれがある。
【０００７】
この発明はこのような事情に鑑みてなされたもので、その課題は受信信号を増幅するアンプの出力側に接続される回路が破損しにくい電波高度計を提供することである。
【課題を解決するための手段】
【０００８】
上述の課題を解決するため請求項１の発明は、基準パルスを発生する基準パルス発生手段と、前記基準パルスに同期して送信パルスを発生するパルス送信手段と、前記送信パルスを電波に変換して地表面に送信する送信アンテナと、前記地表面で反射した電波を受信する受信アンテナと、前記受信アンテナの出力を増幅する第１の増幅手段と、前記第１の増幅手段の出力を増幅する第２の増幅手段と、所定周波数の信号を発振する局部発振手段の出力と前記第２の増幅手段の出力とを混合して中間周波信号に変換する混合手段と、前記混合手段の出力を増幅する中間周波増幅手段と、前記中間周波増幅手段の出力から所定の高度に対応する反射波信号を選択し、反射波パルスを出力する反射信号選択手段と、前記反射信号選択手段の出力を中間周波増幅手段に帰還させ、その利得を制御するＡＧＣ制御手段と、前記基準パルス発生手段からの前記基準パルスと前記反射信号選択手段からの前記反射波パルスとの時間差を検出し、その時間差に対応する高度信号を出力する時間検出手段と、前記時間検出手段の出力に基づいて前記第１の増幅手段の出力を小さくする減衰手段とを備えていることを特徴とする。
【０００９】
反射波信号が大きいとき、高度信号に基づいて減衰手段の減衰量が大きくなるので、第１の増幅手段の利得が小さくなる。
【００１０】
請求項２の発明は、請求項１記載の電波高度計において、前記減衰手段が前記第１、第２の増幅手段間に接続されていることを特徴とする。
【発明の効果】
【００１１】
この発明によれば第２の増幅手段が破損しにくくなる。
【発明を実施するための最良の形態】
【００１２】
この発明の実施の形態を図に基づいて説明する。
【００１３】
図１はこの発明の一実施形態に係る電波高度計を示すブロック図である。
【００１４】
基準パルス発生器（基準パルス発生手段）１は基準パルスＰを発生する。パルス送信回路（パルス送信手段）２は基準パルスＰに同期して送信パルスＳを発生する。送信アンテナ３は送信パルスＳを電波に変換して地表面４に送信する。
【００１５】
受信アンテナ５は地表面４で反射した電波（反射波）を受信する。反射波は受信回路６に入力される。受信回路６は第１アンプ（第１の増幅手段）６１、第２アンプ（第２の増幅手段）６２、減衰器（減衰手段）６３、局部発振器（局部発振手段）６４、混合器（混合手段）６５及び中間周波増幅器（中間周波増幅手段）６６で構成される。
【００１６】
第１アンプ６１は受信アンテナ５からの反射波信号を入力し、増幅する。第２アンプ６２は第１アンプ６１の出力を増幅する。減衰器６３は第１アンプ６１と第２アンプ６２との間に接続され、第１アンプ６１の利得を小さくする。
【００１７】
局部発振器６４は所定周波数の信号を発振する。混合器６５は局部発振器６４の出力と第２アンプ６２の出力とを混合して中間周波信号に変換する。中間周波増幅器６６は混合器６５の出力を増幅する。
【００１８】
反射信号選択回路（反射信号選択手段）７は中間周波増幅器６６の出力から所定の高度に対応する反射波信号を選択し、反射波パルスを出力する。
【００１９】
時間検出回路（時間検出手段）８は基準パルス発生器１からの基準パルスＰと反射信号選択回路７からの反射波パルスとの時間差を検出し、その時間差に対応する高度信号Ａを出力する。高度信号Ａはバッファ９を介して出力される。
【００２０】
ＡＧＣ制御回路（ＡＧＣ制御手段）１０は反射信号選択回路７の出力を中間周波増幅器６６に帰還させ、その利得を制御する。
【００２１】
次に、この電波高度計の動作を説明する。
【００２２】
基準パルス発生器１の発生する基準パルスＰに同期して送信パルスＳがパルス送信回路２から送信され、その送信パルスＳに対応する電波が送信アンテナ３から地表面４へ送信される。
【００２３】
地表面４で反射した電波（反射波信号）は受信アンテナ５で受信される。反射波信号は第１アンプ６１に入力されて増幅され、その後、第１アンプ６１の出力は減衰器６３を介して第２アンプ６２に入力されて増幅される。
【００２４】
第２アンプ６２の出力と局部発振器６４の発振する所定周波数の信号とは混合器６５に
入力され、混合されて中間周波信号に変換される。
【００２５】
中間周波信号は中間周波増幅器６６で増幅され、反射信号選択回路７に入力される。中間周波信号が反射信号選択回路７に入力されると、その中間周波信号から所定の高度に対応する反射波信号が選択され、反射波パルスが時間検出回路８へ出力される。
【００２６】
また、反射波パルスはＡＧＣ制御回路１０を介して中間周波増幅器６６に帰還され、その利得が制御される。
【００２７】
反射信号選択回路７からの反射波パルスと基準パルス発生器１からの基準パルスＰとは時間検出回路８に入力され、両パルスの時間差が検出され、その時間差に対応する高度信号Ａが出力される。高度信号はバッファ９を介して図示しない表示装置へ出力される。時間検出回路８からの高度信号Ａは減衰器６３に入力され、高度信号Ａに基づいて減衰量が制御される。
【００２８】
例えば、高度が低いとき、受信アンテナ５で受信される反射波信号は大きいが、高度信号Ａに基づいて減衰器６３の減衰量が大きくなり、第１アンプ６１の利得が小さくなるため、第２アンプ６２の破損を防ぐことができる。
【００２９】
この実施形態によれば、受信利得のダイナミックレンジを広くし、広範囲の高度計測を可能にするとともに、第２アンプ６２の破損を防ぐことができる。
【図面の簡単な説明】
【００３０】
【図１】図１はこの発明の一実施形態に係る電波高度計を示すブロック図である。
【符号の説明】
【００３１】
１  基準パルス発生器（基準パルス発生手段）
２  パルス送信回路（パルス送信手段）
３  送信アンテナ
５  受信アンテナ
７  反射信号選択回路（反射信号選択手段）
８  時間検出回路（時間検出手段）
６１  第１アンプ（第１の増幅手段）
６２  第２アンプ（第２の増幅手段）
６３  減衰器（減衰手段）
６４  局部発振器（局部発振手段）
６５  混合器（混合手段）
６６  中間周波増幅器（中間周波増幅手段）
【図１】
2006266787.tif 000003